(57)【要約】  第１の曲面および反対の第２の曲面を備える非線形結晶が記載される。第１の曲面および第２の曲面は、非線形結晶に、非線形結晶の少なくとも１つの軸の周りの回転対称を与えるように配置される。非線形結晶は、生成された光学場にいかなる顕著なまたは最小限の偏差を導入することなく、非線形結晶を回転の軸の周りで回転させることによって基本光学場を非線形結晶を通して伝搬させることで生成される生成光学場の周波数チューニングを可能にする。これらの非線形結晶は、したがって、キャビティミラーを自動的に再配置させるための光学的補償光学系またはサーボ制御エレクトロニクスの使用を必要とすることなく、外部キャビティ周波数２倍器または混合器に組み込むことができる。【選択図】図３（ａ）
2020508488.tif 000002
【特許請求の範囲】
【請求項１】
第１の曲面および反対の第２の曲面を備える非線形結晶であって、前記第１の曲面および前記第２の曲面が、前記非線形結晶に、前記結晶の少なくとも１つの軸の周りの回転対称を与えるように配置されていることを特徴とする非線形結晶。
【請求項２】
請求項１に記載の非線形結晶において、前記非線形結晶の回転の軸が、前記非線形結晶の軸と一致することを特徴とする非線形結晶。
【請求項３】
請求項１又は２に記載の非線形結晶において、前記第１の曲面および前記第２の曲面が、前記非線形結晶に、前記結晶の少なくとも２つの軸の周りの回転対称を与えるように配置されていることを特徴とする非線形結晶。
【請求項４】
請求項１乃至３の何れか１項に記載の非線形結晶において、前記第１の曲面および前記第２の曲面が、直円柱の正反対の第１のセクションおよび第２のセクションを備えることを特徴とする非線形結晶。
【請求項５】
請求項１乃至４の何れか１項に記載の非線形結晶において、前記第１の曲面および前記第２の曲面が、切断された直円柱の正反対の第１のセクションおよび第２のセクションを備えることを特徴とする非線形結晶。
【請求項６】
請求項１に記載の非線形結晶において、前記第１の曲面が直円柱の曲面のセクションを備え、前記第１の曲面への法線が、前記非線形結晶の光学軸に対して−θの角度で位置していることを特徴とする非線形結晶。
【請求項７】
請求項６に記載の非線形結晶において、前記第２の曲面が直円柱の曲面のセクションを備え、前記第２の曲面への法線が、前記非線形結晶の光学軸に対してθの角度で位置していることを特徴とする非線形結晶。
【請求項８】
請求項１乃至３の何れか１項に記載の非線形結晶において、前記第１の曲面が、第１の曲率半径を有する球の第１のセクションを備え、前記第２の曲面が、第２の曲率半径を有する球の第２のセクションを備え、前記第１の曲率半径の長さと前記第２の曲率半径の長さとが等しいことを特徴とする非線形結晶。
【請求項９】
請求項８に記載の非線形結晶において、前記球の第１のセクションと前記球の第２のセクションとが共通の中心を共有することを特徴とする非線形結晶。
【請求項１０】
請求項８に記載の非線形結晶において、請求項１に従属する場合、前記第１の曲面への法線が、前記非線形結晶の光学軸に対して−θの角度で位置しており、前記第２の曲面への法線が、前記非線形結晶の光学軸に対してθの角度で位置していることを特徴とする非線形結晶。
【請求項１１】
請求項１乃至１０の何れか１項に記載の非線形結晶を備える、外部キャビティ周波数２倍器。
【請求項１２】
請求項１乃至１０の何れか１項に記載の非線形結晶を備える、外部キャビティ周波数混合器。
【請求項１３】
非線形結晶を製造する方法であって、バルク結晶を加工して、第１の曲面および反対の第２の曲面を備える非線形結晶を提供するステップを備え、前記第１の曲面および前記第２の曲面が、前記非線形結晶に、前記非線形結晶の少なくとも１つの軸の周りの回転対称を与えるように配置されていることを特徴とする方法。
【請求項１４】
請求項１３に記載の非線形結晶を製造する方法において、前記バルク結晶を加工するステップが、カット、成形および研磨を含む加工工程の群から選択される１つまたは複数の加工工程を備えることを特徴とする方法。
【発明の詳細な説明】
【技術分野】
【０００１】
本発明は、非線形光学の分野、特に、周波数混合キャビティ中における特定の用途が見出される、新しい非線形結晶のデザインに係るものである。
【背景技術】
【０００２】
結晶の非線形光学的特性は、長年にわたって、所望の既知の周波数または波長の出力光学場を生成するため、１または複数の光学場の光子を混合するのに用いられている。
【０００３】
そのような過程の例は、和周波混合（ＳＦＭ）である。この手法は、角周波数ω１およびω２の２つの入力光子を消滅させて周波数ω３の１つの光子を生成することに基づく。和周波発生は、以下の式（１）に定義されるように、光子がエネルギー保存則を満たし、物が変化しないことを意味するパラメトリック過程である。
2020508488.tif 000003
（ここで、
2020508488.tif 000004
であり、ｈはプランク定数を表す。）
【０００４】
和周波混合が効率的に起こるためには、位相整合と呼ばれる、式（２）で定義される条件を満たさなければならない。
2020508488.tif 000005
（ここで、ｋ１、ｋ２、ｋ３は、媒質を伝わる３つの波の角波数である。）この条件がより正確に満たされるにつれ、和周波発生はより効率的になる。さらに、和周波発生がより長い長さにわたって生じるにつれ、位相整合はより正確になる。
【０００５】
ＳＦＭの特別な事例は、第２高調波発生（ＳＨＧ）であり、ここで、ω１＝ω２である。これは、恐らく、最も一般的な型のＳＦＭである。これは、ω１とω２とが等しくなく、したがって、配置がより困難でありうる２つの同時の入力場を必要とする場合のＳＦＭと比較して、ＳＨＧでは１つの入力場のみが必要であるからである。
【０００６】
従来技術で知られるＳＦＭの代替的過程は、差周波発生（ＤＦＭ）である。これは、異なるエネルギーの２つの光子を混合し、以下の式（３）で定義されるように、エネルギーが入射光子のエネルギー間の差に等しい、第３の光子を生成することをともなう非線形過程である。
2020508488.tif 000006
（ここで、
2020508488.tif 000007
であり、ｈはプランク定数を表す。）
【０００７】
ＤＦＭが効率的に起きるためには、式（４）で定義される、以下の位相整合条件を満たさなければならない。
2020508488.tif 000008
（ここでも、ｋ１、ｋ２、ｋ３は、媒質を伝わる３つの波の角波数である。）
【０００８】
従来技術で知られている他の周波数混合過程は、第３高調波混合（ＴＨＭ）、高次高調波発生（ＨＨＧ）、光学パラメトリック増幅（ＯＰＡ）および下方変換を含む。
【０００９】
システムのために非線形結晶を選択する場合、どのような結晶カットを用いるか、すなわち、非線形結晶の末端面をどのようにしてカットするかを選択しなければならない。一般的には、非線形結晶について、従来技術では２つの異なったカットが用いられている：図１（ａ）で模式的に示すような直角カット１、および、図１（ｂ）で模式的に示すようなブリュースター角カット２である。明確な理解を助けるため、図１には軸が示されている。
【００１０】
図１（ａ）の非線形結晶１の直角カットが、非線形結晶１の光学軸５に対して垂直のその研磨された面３および面４を有している一方で、図１（ｂ）のブリュースター角カット非線形結晶２は、研磨面６および研磨面７の法線ベクトル８と光学軸５との間のブリュースター角（β）で位置する、その面６および面７を有する。ブリュースター角（β）では、ｘ軸およびｙ軸で定義される面内での偏光を有する光について、面６および面７の表面反射率はゼロである（ｐ偏光としても定義される）。
【００１１】
直角カット非線形結晶１は、ブリュースター角カット非線形結晶２よりも一般的に製造が容易であるものの、その使用は大きな伝送損失へと至る。これらの損失は、しばしば実際にそうであるように、直角カット非線形結晶１が光学共振器とともに用いられる場合に増加する。この理由のため、抗反射性、高反射性、部分反射性のコーティングがしばしば研磨面３および研磨面４に適用される。しかしながら、直角カット非線形結晶１は、結晶１に適用されるコーティングがブリュースター角カット結晶２の非コート面６および非コート７よりも通常は低い損傷閾値を有するために、高出力、特に短パルスでの適用におけるその使用はより限定されたものとなる。
【００１２】
非線形光学における任意の二次Ｘ（２）またはそれより高次の現象と同様に、非線形過程は、特定の前もって定義付けられた条件、例えば、光が非中心対称である物質と相互作用し、入力場が非常に高い強度を有する（典型的にはレーザ源によって生成される）という条件の下でしか生じない。式（２）および式（４）の位相整合要件は、生成された出力場の周波数または波長が、入力場の波長および非線形媒質の位置の両方の連携したチューニングによって変化させることができることを意味する。非線形媒質の位置を変化させることは、典型的には、入力場内における非線形結晶の回転または並進により達成できる。
【００１３】
例として、図２は、ブリュースター角カット結晶２を組み込む、一般的に参照番号９として描かれる、外部キャビティ周波数２倍器の模式図を示す。出願人が専有するＳｏｌｓＴｉｓ（登録商標）ＥＣＤ−Ｘは、そのような外部キャビティ周波数２倍器９の適切な例である。図２に見られるように、ＢＢＯ（βホウ酸バリウム（ＢａＢ２Ｏ４））またはＬＢＯ（三ホウ酸リチウム（ＬｉＢ３Ｏ５））から形成されてよいブリュースター角カット結晶２は、第１ミラー１０、出力カプラ１１、入力カプラ１２および第２ミラー１３で定義されるリングキャビティ内に位置する。外部キャビティ周波数２倍器９は、共鳴増強を用いて、連続波Ｔｉ：サファイアレーザのような、連続波で狭い線幅のレーザ源１４の出力周波数を変換して、周波数が２倍の出力場１５を生成する。
【００１４】
外部キャビティ周波数２倍器９で生成された出力場１５の周波数チューニングは、入力場１４の波長をチューニングし、ブリュースター角カット結晶２を軸１６の周りで回転させ、式（２）の位相整合条件を維持させることで達成される。ここに記載の例では、ブリュースター角カット結晶２は、ｘ軸およびｙ軸で定義される平面内に実質的に位置し、一方で、回転の軸１６も、この平面内に位置し、ｙ軸と鋭角を形成する。
【００１５】
従来技術で知られているように、非線形結晶１または２の回転が周波数チューニング過程で用いられる場合、非線形結晶１または２を励起する光学場の伝搬方向の対応する偏差が経験される。この偏差は、非線形結晶１または２内における屈折の効果による。出力場１５のこの偏差は、これらのシステムの設計に自動化再配置を組み込む必要があるため、市販の共振器ベースのデバイスの開発では問題となる。
【００１６】
従来技術で知られている解決法の１つは、サーボ制御エレクトロニクスで制御される光学板を共振器に組み込み、非線形結晶１または２の回転によって導入される偏差を補償するよう、自動的に回転させることである。そのような解決法には、しかしながら、共振器キャビティにおける内的光学損失の増加および非線形過程で生成される光が経験する損失の増加という短所がある。これらの解決法は、システムの全体的な設置面積を増加させることにもなる。
【００１７】
代替的な解決法は、図２の外部キャビティ周波数２倍器９で用いられているように、サーボ制御エレクトロニクス（図示なし）を用いて、ブリュースター角カット結晶２の回転に従って、キャビティミラー１０、１１、１２および１３の各々を自動的に再配置させることである。このようなサーボ制御エレクトロニクスの使用は、ビーム偏差に関する問題に対する良い解決法ではあるが、上記の共振器キャビティ内に追加の光学板を組み込むことに基づく解決法よりも、はるかにより複雑であり、したがって、より高価であり、非線形の生成されたビームの顕著な空間的偏差にもつながる。
【発明の概要】
【００１８】
したがって、本発明の実施形態の目的は、非線形結晶によって生成された光学場の周波数をチューニングするための従来技術で知られた方法および装置の上述の不利な点を取り除くこと、または、少なくとも軽減することである。
【００１９】
本発明の第１の側面によれば、第１の曲面および反対の第２の曲面を備える非線形結晶が提供され、ここで、第１の曲面および第２の曲面は、非線形結晶の少なくとも１つの軸について回転対称である非線形結晶を提供するように配置される。
【００２０】
上記の配置は、入力光学場の波長および非線形結晶の回転の軸の周りの回転の両方の連携したチューニングにより、生成光学場にいかなる実質的なまたは最小限の偏差をも導入することなく、基本光学場を非線形結晶中で伝搬させて生成された生成光学場の周波数チューニングを可能とする。
【００２１】
非線形結晶の回転の軸は、非線形結晶の軸と一致してよい。
【００２２】
第１の曲面および第２の曲面は、非線形結晶の少なくとも２つの軸について回転対称を有する非線形結晶を提供するよう配置されてよい。
【００２３】
第１の曲面および第２の曲面は、直円柱の正反対の第１のセクションおよび第２のセクションを備えてよい。この実施形態では、非線形結晶は、非線形結晶の少なくとも１つの軸について無限の回転対称を呈する。
【００２４】
第１の曲面および第２の曲面は、切断された直円柱の正反対の第１のセクションおよび第２のセクションを備えてよい。この実施形態では、非線形結晶は、非線形結晶の少なくとも１つの軸について２回回転対称を呈する。
【００２５】
第１の曲面は、直円柱の曲面のセクションを備えてよく、ここで、第１の曲面への法線は、非線形結晶の光学軸に対して−θの角度で位置する。第２の曲面は、直円柱の曲面のセクションを備えてよく、ここで、第２の曲面への法線は、非線形結晶の光学軸に対してθの角度で位置する。この実施形態では、非線形結晶は、非線形結晶の少なくとも１つの軸について２回回転対称を呈する。
【００２６】
第１の曲面は、第１の曲率半径を有する球の第１のセクションを備えてよく、第２の曲面は、第２の曲率半径を有する球の第２のセクションを備えてよく、ここで、第１の曲率半径の長さと第２の曲率半径の長さは等しい。この実施形態では、非線形結晶は、非線形結晶の少なくとも１つの軸について２回回転対称を呈する。
【００２７】
球の第１のセクションと球の第２のセクションは、共通の中心を共有してよい。
【００２８】
代替的に、第１の面への法線は、非線形結晶の光学軸に対して−θの角度で位置し、第２の曲面への法線は、非線形結晶の光学軸に対してθの角度で位置する。好ましくは、｜θ｜は、０°よりも大きいが、ブリュースター角（β）よりも小さい。
【００２９】
本発明の第２の側面によれば、本発明の第１の側面に従った非線形結晶を備える外部キャビティ周波数２倍器が提供される。
【００３０】
外部キャビティ周波数２倍器によって生成される出力場の周波数チューニングは、入力場の波長をチューニングし、非線形結晶を回転の軸の周りで回転させることにより達成される。非線形結晶の回転の軸の周りの回転対称の結果、外部キャビティ周波数によって生成された出力場の周波数チューニングは、出力場にいかなる顕著なまたは最小限のレベルの偏差をも経験させることなく、達成される。この結果、記述された外部キャビティ周波数２倍器は、キャビティミラーの各々を自動的に再配置させるための、光学的補償光学またはサーボ制御エレクトロニクスの使用を必要としない。
【００３１】
本発明の第２の側面の実施形態は、本発明の第１の側面の好ましいまたは任意の特徴を実行するための特徴を備えてよく、または、その逆でもよい。
【００３２】
本発明の第３の側面によれば、本発明の第１の側面に従った非線形結晶を備える外部キャビティ周波数混合器が提供される。
【００３３】
本発明の第３の側面の実施形態は、本発明の第１の側面の好ましいまたは任意の特徴を実行するための特徴を備えてよく、または、その逆でもよい。
【００３４】
本発明の第４の側面によれば、第１の曲面および反対の第２の曲面を有する非線形結晶を提供するためにバルクな結晶を加工するステップを備える、非線形結晶を製造するための方法であって、第１の曲面および第２の曲面は、非線形結晶の少なくとも１つの軸について回転対称を有する非線形結晶を提供するために配置される方法が提供される。
【００３５】
好ましくは、バルクな結晶を加工するステップは、カット、成形および研磨を含む加工工程の群から選択される１つまたは複数の加工工程を備える。
【００３６】
本発明の第４の側面の実施形態は、本発明の第１の側面の好ましいまたは任意の特徴を実行するための特徴を備えてよく、または、その逆でもよい。
【図面の簡単な説明】
【００３７】
本発明のさまざまな実施形態が、以下に示す図面に言及しながら、例示の形式によってのみ記述される：
【図１】図１は、（ａ）従来技術で知られている直角カット非線形結晶の模式図および（ｂ）従来技術で知られているブリュースター角カット非線形結晶の模式図を示す；
【図２】図２は、従来技術で知られている外部キャビティ周波数２倍器の模式図を示す；
【図３】図３は、本発明の実施形態に従った、非線形結晶の（ａ）透視図および（ｂ）側面図を示す；
【図４】図４は、本発明の代替的な実施形態に従った、非線形結晶の（ａ）透視図、（ｂ）透視端面図、（ｃ）上面図、および（ｄ）図４（ｃ）の線ｂ−ｂに沿った側面図を示す；
【図５】図５は、本発明のさらなる代替的な実施形態に従った、非線形結晶の（ａ）透視図、（ｂ）透視端面図、（ｃ）上面図、および（ｄ）側面図を示す；
【図６】図６は、本発明のさらなる代替的な実施形態に従った、非線形結晶の（ａ）透視図、（ｂ）透視端面図、（ｃ）上面図、（ｄ）図６（ｃ）の線ｂ−ｂに沿った側面図を示す；
【図７】図７は、図３の非線形結晶を組み込んだ外部キャビティ周波数２倍器の模式図を示す。  以降の記載では、同様な部分は、発明の詳細な説明および図面を通じて、同一の参照番号が付される。図面は、必ずしも一定の比率に縮小されておらず、特定の部分の比率は、本発明の実施形態の詳細および特徴をよりよく説明するために誇張されている。
【発明を実施するための形態】
【００３８】
ここで、本発明の側面に従った非線形結晶のさまざまな実施形態が、図３乃至６に言及しつつ、記載される。記載の非線形結晶は、ＢＢＯ（βホウ酸バリウム（ＢａＢ２Ｏ４））またはＬＢＯ（三ホウ酸リチウム（ＬｉＢ３Ｏ５））または他の既知の非線形材料から形成されてよい。これらの図では、参照を容易にするために再び軸が記載され、ｘ軸は記載の非線形結晶の光学軸５に沿って配置される。
【００３９】
図３は、本発明の実施形態に従った非線形結晶１７の（ａ）透視図および（ｂ）側面図を示す。非線形結晶１７は、第１の曲面１８および非線形結晶１７の反対側に位置する第２の曲面１９を備えると見ることができる。図３（ｂ）から、第１の曲面１８および第２の曲面１９は、直円柱２０の曲面の２つの正反対のセクションを備える、すなわち、第１の曲面１８の曲率半径および第２の曲面１９の曲率半径は、等しく、直円柱２０の（ｙ軸に平行である）軸２１を中心とすると見ることができる。当業者の読者であれば理解できるように、上記の配置は、軸２１について２回回転対称を有する非線形結晶１７を提供する。非線形結晶１７は、光学軸またはｘ軸についても２回対称を有し、ｚ軸についても２回対称を有することに注意する。
【００４０】
非線形結晶１７の非線形的作動を向上させるため、第１の曲面１８および／または第２の曲面１９に抗反射コーティングを適用してよいことが理解できるであろう。
【００４１】
図３（ａ）では、円形断面円柱２０の軸２１（従って、ｙ軸）に平行な線形偏光を有する、８００ｎｍの基本光学場２２は、非線形結晶１７の光学軸５（ｘ軸）に沿って伝播するように、非線形結晶１７の第１の曲面１８上に入射するように図示されている。結晶１７の非線形特性は、第２の曲面１９を介して非線形結晶１７から出る、４００ｎｍの第２高調波光学場２３の生成へと至る。第２高調波光学場２３は、ｚ軸に平行な線形偏光を有する。
【００４２】
上記の通り、第２高調波光学場２３の周波数チューニングは、基本光学場２２の波長をチューニングし、非線形結晶１７を軸２１の周りで回転させることにより、所望の位相整合条件の維持を可能とさせることで達成される。顕著なことに、非線形結晶１７は軸２１について回転対称を呈することから、第２高調波光学場２３の周波数チューニングは、顕著なまたは最小限のレベルの偏差を導入することなく達成できる。
【００４３】
当業者の読者は、非線形結晶１７の第１の曲面１８および第２の曲面１９がブリュースター角で配向していないことから、基本光学場２２、したがって、生成される第２高調波光学場２３は、図３に言及しつつ記載されているものとは反対方向に配置されうることを理解できるであろう。
【００４４】
図３に図示される非線形結晶１７は、軸２１について２回回転対称を有するものの、代替的な実施形態では回転対称の次数は増加させることができることが理解できるであろう。例えば、非線形結晶が完全な直円柱を備える場合（すなわち、非線形結晶１７の第１の曲面および第２の曲面が３６０°にわたって展開し、例えば円盤を形成する場合）、非線形結晶は軸２１について無限の回転対称性となる。
【００４５】
図４は、本発明の代替的な実施形態に従った非線形結晶２４の（ａ）透視図；（ｂ）（ａ）において円で示したセクションの透視端面図；（ｃ）上面図；および（ｄ）図４（ｃ）の線ｂ−ｂに沿った側面図をそれぞれ示す。図３の非線形結晶１７と同様に、非線形結晶２４は、第１の曲面２５および非線形結晶２４の反対側に位置する第２の曲面２６を備えると見ることができる。第１の曲面２５および第２の曲面２６は、ともに、直円柱の曲面のセクションを備える。
【００４６】
図４（ｃ）から、第１の曲面２５は、この面への法線２７が非線形結晶２４内の光学軸５（すなわち、ｘ軸）に対して−θの角度をなすように配置されていると見ることができる。同じように、第２の曲面２６は、この面への法線２８が非線形結晶２４の非線形結晶２４内の光学軸５（ｘ軸）に対してθの角度をなすように配置されている。第１の曲面２５の曲率半径および第２の曲面２６の曲率半径もまた等しく、共通の軸２９に沿っており、この軸２９も光学軸５（すなわち、ｘ軸）に対してθの角度で位置している。当業者の読者は、図４（ｄ）から、上記の配置がｚ軸について２回の回転対称を有する非線形結晶２４を提供すると理解できるであろう。
【００４７】
図４（ａ）および４（ｃ）において、８００ｎｍであってｘ−ｙ面に線形偏光を有する基本光学場２２は、非線形結晶２４の第１の曲面２５上に光学軸５（ｘ軸）に対してΨの角度で入射するように示されている。角度−θおよびΨは、
2020508488.tif 000009
（ここで、βは再びブリュースター角を表す）
となるように選択される。
【００４８】
この配置により、基本光学場２２が非線形結晶２４の光学軸５（ｘ軸）に沿って伝搬する場合、結晶２４の非線形特性は、第２の曲面２６を介して非線形結晶２４から出る、４００ｎｍの第２高調波光学場２３の生成へと至る。第２高調波光学場２３は、ｚ軸に平行な線形偏光を有する。
【００４９】
第２高調波光学場２３の周波数チューニングは、基本光学場２２の波長をチューニングし、非線形結晶２４を回転の軸２９の周りで回転させ、所望の位相整合条件を維持することで達成できる。顕著なことに、第２高調波光学場２３の周波数チューニングは、顕著なまたは最小限の偏差を導入することなく達成できる。
【００５０】
図５は、本発明のさらなる代替的な実施形態に従った、非線形結晶３０の（ａ）透視図；（ｂ）（ａ）において円で囲んだセクションの透視端面図；（ｃ）上面図；および（ｄ）側面図をそれぞれ示す。上記の非線形結晶１７および２４と同様に、非線形結晶３０は、第１の曲面３１と非線形結晶３０の反対側に位置する第２の曲面３２とを備えると見ることができる。この実施形態では、第１の曲面３１および第２の曲面３２は、ともに、等しい曲率半径を有し、共通の中心を共有する球のセクションを備える。上記の配置は、軸３３について２回回転対称を有する非線形結晶３０を提供する。非線形結晶３０は、光学軸またはｘ軸について４回対称を備えるのに加えてｚ軸について２回対称を備えることに注意する。非線形結晶３０は、完全な球を備える場合、光学軸またはｘ軸およびｚ軸について無限の回転対称性であるように作製できる。
【００５１】
非線形結晶３０の非線形的作動を向上させるため、抗反射コーティングが第１の曲面３１および／または第２の曲面３２に適用されてよいことが理解できるであろう。
【００５２】
図５（ａ）および図５（ｃ）において、回転の軸３３（したがって、ｙ軸）に平行な線形偏光を有する８００ｎｍの基本光学場２２は、非線形結晶３０の光学軸５（ｘ軸）に沿って伝搬するように、非線形結晶３０の第１の曲面３１上に入射するよう示されている。結晶３０の非線形特性もまた、第２の曲面３２を介して非線形結晶３０から出る、４００ｎｍの第２高調波光学場２３の生成に至る。第２高調波光学場２３は、ｚ軸に平行な線形偏光を有する。
【００５３】
基本光学場２２の波長をチューニングしつつ非線形結晶３０を回転の軸３３の周りで回転させることは、第２高調波光学場２３の周波数チューニングを第２高調波光学場２３に顕著なまたは最小限の偏差を導入することなく行うための手段を提供する。
【００５４】
当業者の読者は、非線形結晶３０の第１の曲面３１および第２の曲面３２がブリュースター角で配向していないことから、基本光学場２２、したがって、生成される第２高調波光学場２３は、図５に言及しつつ記載されているものとは反対方向に配置されうることを理解できるであろう。
【００５５】
図６は、本発明のさらなる代替的な実施形態に従った非線形結晶３４の（ａ）透視図；（ｂ）（ａ）において円で囲まれたセクションの透視端面図；（ｃ）上面図；および（ｄ）図６（ｃ）の線ｂ−ｂに沿った側面図のそれぞれを示す。非線形結晶３４は、第１の曲面３５および非線形結晶３４の反対側に位置する第２の曲面３６を備えると見ることができる。この実施例では、第１の曲面３５および第２の曲面３６は、ともに、球のセクションを備える。
【００５６】
図６（ｃ）からは、第１の曲面３５が、この表面への法線３７が非線形結晶３４内の光学軸５（すなわち、ｘ軸）に対して−θの角度になるように配置されていると見ることができる。同様に、第２の曲面３６は、この表面への法線３８が非線形結晶２４内の光学軸５（すなわち、ｘ軸）に対してθの角度になるように配置されている。第１の曲面３５の曲率半径と第２の曲面３６の曲率半径は、等しく、共通の軸３９に沿っており、この軸３９は光学軸５（ｘ軸）に対してθの角度で位置している。当業者の読者は、図６（ｄ）から上記の配置がｚ軸について２回回転対称を有する非線形結晶３４を提供することを理解できるであろう。
【００５７】
図６（ａ）および図６（ｃ）において、ｘ−ｙ面内に線形偏光を有する、８００ｎｍの基本光学場は、非線形結晶２４内の光学軸５（すなわち、ｘ軸）とΨの角度で非線形結晶３４の第１の曲面２５上に入射するよう示されている。上述のものと同様に、角度−θおよび角度Ψは、好ましくは式１を満たすように選択される。
【００５８】
この配置により、基本光学場２２が非線形結晶３４の光学軸５（ｘ軸）に沿って伝搬する場合、結晶３４の非線形特性は、第２の曲面３６を介して非線形結晶３４から出る、４００ｎｍの第２高調波光学場２３の生成に至る。第２高調波光学場２３は、ｚ軸に平行な線形偏光を有する。
【００５９】
基本光学場２２の波長をチューニングしつつ非線形結晶３４を回転の軸３９の周りで回転させることは、第２高調波光学場２３に顕著なまたは最小限の偏差を導入することなく、第２高調波光学場２３を周波数チューニングするための手段を提供する。
【００６０】
図７は、図３の非線形結晶１７を組み込んだ、一般的に参照番号４０で示される、外部キャビティ周波数２倍器の模式図を表す。図２に言及して上記の通り記載された外部キャビティ周波数２倍器９と同様に、非線形結晶１７は、第１のミラー１０、出力カプラ１１、入力カプラ１２および第２のミラー１３で定義されるリングキャビティ内に位置する。ここでも、外部キャビティ周波数２倍器４０は、共鳴増強を用いて、連続波Ｔｉ：サファイヤレーザのような連続波、狭い線幅レーザ源１４の出力周波数を変換して２倍の周波数の出力場１５を発生させる。
【００６１】
外部キャビティ周波数２倍器４０で生成された出力場１５の周波数チューニングは、上記の通り、入力場１４の波長をチューニングし、非線形結晶１７を軸２１の周りで回転させることで達成することができる。ここに記載の例では、非線形結晶１７は実質的にｘ軸およびｙ軸で定義される面内にある一方で、回転の軸２１は実質的にｙ軸に平行である。
【００６２】
この結果、外部キャビティ周波数２倍器４０で入力光学場１４の波長および非線形結晶１７の軸２１の周りの回転位置の連携したチューニングを行うことによって生成された出力場１５の周波数チューニングは、出力場１５が顕著なまたは最小限の偏差を経験することなく、達成できる。顕著なことに、外部キャビティ周波数２倍器４０は、共振キャビティ内に、サーボ制御エレクトロニクスによって制御される光学板を組み込む必要はなく、非線形結晶１７と同様に、キャビティミラー１０、１１、１２および１３の各々を自動的に再配置させるためにサーボ制御エレクトロニクスを使用する必要はない。この結果、外部キャビティ周波数２倍器４０は、従来技術において知られているシステムと比較してより安定で安価で製造できる、より簡潔なデザインを呈する。
【００６３】
この実施形態では、回転の軸２１が非線形結晶１７の回転対称の軸、つまり、ｙ軸と一致することを見ることができる。図５の非線形結晶３０が外部キャビティ周波数２倍器４０内で用いられる場合も同様である。
【００６４】
しかしながら、図４の非線形結晶２４または図６の非線形結晶３４の何れかが外部キャビティ周波数２倍器４０内で用いられる場合、関連する回転の軸２４および２９は、非線形結晶２４および３４の回転対称の軸（つまり、ｚ軸）とは一致しない。その代わり、回転の軸２４および２９は、非線形結晶２４および３４の関連するｙ軸に対して角度−θだけオフセットされる。
【００６５】
関連する非線形結晶２４、３０または３４がその関連する軸２９、３３または３９のそれぞれの周りで回転される限り、外部キャビティ周波数２倍器４０によって生成される出力場１５の周波数チューニングは、出力場１５が顕著なまたは最小限の偏差を経験することなく、達成することができる。
【００６６】
上記の外部キャビティ周波数２倍器は、第２高調波発生非線形混合プロセスに基づいているものの、当業者の読者には、記載された非線形結晶が、より一般的な和周波混合（ＳＦＭ）；差周波混合（ＤＦＭ）；第３高調波混合（ＴＨＭ）；高次高調波発生（ＨＨＧ）；および光学パラメトリック増幅（ＯＰＡ）および下方変換を含む従来技術において知られている他の非線形プロセスを用いる他の周波数混合システムと共に用いられてよいことは、明らかであろう。さらに、記載の結晶は、共振器またはキャビティに基づくシステム内で用いる必要はなく、その代わり、基本または入力場の単一経路に基づく代替的なシステムにおいて用いることができる。
【００６７】
上記の非線形結晶は１つまたは複数の既知の結晶加工技術を用いてバルク結晶から製造してよいことが理解できるであろう。例えば、非線形結晶の製造は、カット、成形または研磨加工技術の１つまたは複数を使用してよい。
【００６８】
第１の曲面および反対の第２の曲面を備える非線形結晶が記載された。第１の曲面および第２の曲面は、非線形結晶の少なくとも１つの軸の周りの回転対称を有する非線形結晶を提供するよう配置される。非線形結晶は、生成された光学場にいかなる顕著なまたは最小限の偏差を導入することなく、非線形結晶の回転の軸の周りの回転によって、基本光学場を非線形結晶を通して伝搬させることで生成された生成光学場の周波数チューニングを可能にする。これらの非線形結晶は、したがって、キャビティミラーを自動的に再配置させるための光学的補償光学系またはサーボ制御エレクトロニクスの使用を必要とすることなく、外部キャビティ周波数２倍器または混合器に組み込むことができる。
【００６９】
本明細書を通じて、文脈上の断りがない限り、用語「備える」、「含む」または「備えている」、「含んでいる」のような派生形は、述べられた特徴（ｉｎｔｅｇｅｒ）または特徴（ｉｎｔｅｇｅｒ）の群の包含を意味するものとして理解されるが、他の特徴（ｉｎｔｅｇｅｒ）または特徴（ｉｎｔｅｇｅｒ）の群の除外を意味するものとして理解されてはならない。
【００７０】
さらに、本開示におけるいかなる先行技術への言及も、その先行技術が技術常識の一部を形成するという表示として捉えられてはならない。
【００７１】
上述の本発明は、説明および記載の目的のために示されたものであり、網羅的なものまたは本発明を開示の形式通りに限定することを意図したものではない。記載された実施形態は、本発明の原理およびその実用的な応用を最善な形で説明し、これによって、他の当業者が本発明を考えられる特定の用途に適したさまざまな改変とともにさまざまな実施形態において最善の形で利用できるように、選択され記載されたのである。したがって、添付の特許請求の範囲において定義される発明の範囲から外れることなく、さらなる改変または改良が組み込まれてよい。
【図１】
2020508488.tif 000010
【図２】
2020508488.tif 000011
【図３（ａ）】
2020508488.tif 000012
【図３（ｂ）】
2020508488.tif 000013
【図４】
2020508488.tif 000014
【図５（ａ）】
2020508488.tif 000015
【図５（ｂ）】
2020508488.tif 000016
【図５（ｃ）】
2020508488.tif 000017
【図５（ｄ）】
2020508488.tif 000018
【図６】
2020508488.tif 000019
【図７】
2020508488.tif 000020
【国際調査報告】
2020508488.tif 000021
2020508488.tif 000022
2020508488.tif 000023